(57)【要約】      （修正有）【課題】ＡＴＭのカード挿入口近傍にスキミング装置が取り付けられたことを安定して検知すること。【解決手段】ＡＴＭのカード挿入口近傍に超音波振動子２から超音波パルスを送信してエコーを受信し、エコーを基にＡＴＭのカード挿入口近傍に動かない物体が存在するとプロセッサ８で判定したら検知信号を出力する。このように、エコーのレベルと時間の２つのパラメータを用いて動かない物体が存在するか否かを検知する。また不正物体が検知された場合、モニタによる確認を求める報知を管理者に行う。【選択図】図２
2014182643.tif 000002
【特許請求の範囲】
【請求項１】
現金自動預け払い機のカード挿入口近傍に不正に取り付けられた不正物体を検知する不正物体検知装置であって、
前記カード挿入口の近傍に設けられ、該カード挿入口方向に超音波又は赤外線を送信するとともに、該送信した超音波又は赤外線の反射波又は反射光を受信する送受信手段と、
前記送受信手段による受信結果に応じて前記カード挿入口近傍に所在する物体を検知する物体検知手段と、
前記物体検知手段により検知された物体が所定時間以上継続して所在する場合に前記物体を前記不正物体として検知する検知手段と
を備えたことを特徴とする不正物体検知装置。
【請求項２】
前記送信手段は、前記現金自動預け払い機の前記カード挿入口の近傍内部に設けられ、装置内部からカード挿入口方向に超音波又は赤外線を送信する
ことを特徴とする請求項１に記載の不正物体検知装置。
【請求項３】
前記物体検知手段により検知された物体までの距離を特定する距離特定手段をさらに備え、
前記検知手段は、前記距離特定手段により特定された距離が所定範囲内となる状態で前記所定時間以上継続して所在する物体を前記不正物体として検知する
ことを特徴とする請求項１又は２に記載の不正物体検知装置。
【請求項４】
前記物体検知手段は、所定の距離以内に所在する物体を検知し、
前記検知手段は、前記物体検知手段が前記所定時間以上継続して物体を検知した場合に当該物体を前記不正物体として検知する
ことを特徴とする請求項１又は２に記載の不正物体検知装置。
【請求項５】
現金自動預け払い機のカード挿入口近傍に不正に取り付けられた不正物体を検知する不正物体検知システムであって、
前記現金自動預け払い機のカード挿入口近傍に所定時間以上継続して所在する物体を前記不正物体として検知する不正物体検知装置と、
前記現金自動預け払い機又は前記現金自動預け払い機の操作者を撮像範囲に含む撮像装置と、
前記撮像装置による撮像結果を表示するモニタと、
前記不正物体検知装置により不正物体が検知された場合に、前記モニタによる確認を求める報知を管理者対して行う報知手段と
を備えたことを特徴とする不正物体検知システム。
【発明の詳細な説明】
【技術分野】
【０００１】
この発明は、現金自動預け払い機のカード挿入口近傍に不正な物体が取り付けられたことを安定して検知することができる不正物体検知装置及び不正物体検知システムに関する。
【背景技術】
【０００２】
従来、銀行等の金融機関の店舗内には現金自動預け払い機（Automated Teller Machine  以下、「ＡＴＭ」と言う）が設置されており、利用者は、金融機関の窓口に赴かなくとも、該ＡＴＭを用いて現金の預け入れ、現金の引き出し及び振込依頼等を行うことができる。最近では、金融機関の店舗だけではなく、コンビニエンスストア、空港等の交通機関及びオフィスビル等様々な場所にこのＡＴＭが広範に設置されつつある。
【０００３】
このようにＡＴＭが普及するにつれて、ＡＴＭのカード挿入口の近傍にスキミング装置と呼ばれるリーダライタ装置を不正に設け、このスキミング装置によって銀行カードのカード番号等を読み取る不正が社会問題化しつつある。
【０００４】
このため、かかるスキミング装置を用いた不正を防止する従来技術が知られている。例えば、ＡＴＭのカード挿入口近傍にスキミング装置が取り付けられたことを光学式近接センサにより検知するとともに、利用者、係員又はホストコンピュータに対してスキミング装置の存在を通知する技術が開示されている（例えば特許文献１，２参照。）。かかる従来技術によれば、カード挿入口近傍に物体が存在する場合には発光器から出射した光が物体で反射され受光器で受光するが、物体が存在しない場合には光が反射されず受光器で受光しない性質を利用し、所定レベル以上の光を受光器で受光するか否かにより物体が存在するか否かを判定している。
【先行技術文献】
【特許文献】
【０００５】
【特許文献１】特開２０１０−２５０７１１号公報
【特許文献２】特開２０１０−１７０３７９号公報
【発明の概要】
【発明が解決しようとする課題】
【０００６】
しかしながら、上記従来技術のものは、ＡＴＭ自身が発光させているＬＥＤや、ＡＴＭが設置されている室内の照明光や、外光などの光を受光して、物体が存在すると誤判定してしまう可能性があるという問題点がある。また、かかる誤判定を防止するためには、その仕組みが複雑化してしまうという問題点がある。
【０００７】
このため、照明光等に起因する誤判定を招くことなく、いかに簡易かつ効率的にＡＴＭのカード挿入口の近傍にスキミング装置が取り付けられたか否かを検知するかが重要な課題となっている。特に、日常的に監視することができない場所にＡＴＭが設置された場合には、不正者が時間的な余裕を持ってスキミング装置を取り付けることができるため、不正者に簡単に対策を講じられるものであってはならない。
【０００８】
本発明は、上記従来技術の課題を解決するためになされたものであって、ＡＴＭのカード挿入口近傍にスキミング装置等の不正な物体が取り付けられたことを安定して検知することができる不正物体検知装置及び不正物体検知システムを提供することを目的とする。
【課題を解決するための手段】
【０００９】
上述した課題を解決し、目的を達成するため、請求項１に係る発明は、現金自動預け払い機のカード挿入口近傍に不正に取り付けられた不正物体を検知する不正物体検知装置であって、前記カード挿入口の近傍に設けられ、該カード挿入口方向に超音波又は赤外線を送信するとともに、該送信した超音波又は赤外線の反射波又は反射光を受信する送受信手段と、前記送受信手段による受信結果に応じて前記カード挿入口近傍に所在する物体を検知する物体検知手段と、前記物体検知手段により検知された物体が所定時間以上継続して所在する場合に前記物体を前記不正物体として検知する検知手段とを備えたことを特徴とする。
【００１０】
また、請求項２に係る発明は、請求項１に係る発明において、前記送信手段は、前記現金自動預け払い機の前記カード挿入口の近傍内部に設けられ、装置内部からカード挿入口方向に超音波又は赤外線を送信することを特徴とする。
【００１１】
また、請求項３に係る発明は、請求項１又は２に係る発明において、前記物体検知手段により検知された物体までの距離を特定する距離特定手段をさらに備え、前記検知手段は、前記距離特定手段により特定された距離が所定範囲内となる状態で前記所定時間以上継続して所在する物体を前記不正物体として検知することを特徴とする。
【００１２】
また、請求項４に係る発明は、請求項１又は２に係る発明において、前記物体検知手段は、所定の距離以内に所在する物体を検知し、前記検知手段は、前記物体検知手段が前記所定時間以上継続して物体を検知した場合に当該物体を前記不正物体として検知することを特徴とする。
【００１３】
また、請求項５に係る発明は、現金自動預け払い機のカード挿入口近傍に不正に取り付けられた不正物体を検知する不正物体検知システムであって、前記現金自動預け払い機のカード挿入口近傍に所定時間以上継続して所在する物体を前記不正物体として検知する不正物体検知装置と、前記現金自動預け払い機又は前記現金自動預け払い機の操作者を撮像範囲に含む撮像装置と、前記撮像装置による撮像結果を表示するモニタと、前記不正物体検知装置により不正物体が検知された場合に、前記モニタによる確認を求める報知を管理者対して行う報知手段とを備えたことを特徴とする。
【発明の効果】
【００１４】
本発明によれば、現金自動預け払い機のカード挿入口近傍に設けられた超音波送受信手段がカード挿入口方向に超音波を送信し、反射波の受信結果に応じて前記カード挿入口近傍に所在する物体を検知し、検知された物体が所定時間以上継続して所在する場合に物体を不正物体として検知するよう構成したので、現金自動預け払い機のカード挿入口近傍にスキミング装置等の不正な物体が取り付けられたことを安定して検知することができる。
【図面の簡単な説明】
【００１５】
【図１】図１は、スキミング装置検知装置を設置したＡＴＭカード挿入口について説明するための説明図である。
【図２】図２は、スキミング装置検知装置を示すブロック図である。
【図３】図３は、スキミング装置が取り付けられていない状態での超音波パルスとエコーを模式的に示すタイムチャートである。
【図４】図４は、スキミング装置が取り付けられた状態を示す図１相当図である。
【図５】図５は、スキミング装置が取り付けられた状態での超音波パルスとエコーを模式的に示すタイムチャートである。
【図６】図６は、図２に示したプロセッサによるスキミング装置検知処理の処理手順を示すフローチャートである。
【図７】図７は、実施例２に係るスキミング装置検知装置を示すブロック図である。
【図８】図８は、図７に示したプロセッサによるスキミング装置検知処理の処理手順を示すフローチャートである。
【図９】図９は、実施例３に係るスキミング装置警戒システムを示すブロック図である。
【図１０】図１０は、メッセージ表示画面の例示図である。
【発明を実施するための形態】
【００１６】
以下に、添付図面を参照して、本発明に係る不正物体検知装置及び不正物体検知システムの好適な実施例を詳細に説明する。なお、これにより本発明が限定されるものではない。
【実施例１】
【００１７】
実施例１に係るスキミング装置検知装置１は、ＡＴＭの内部に設けられる。ＡＴＭは、口座を識別する識別情報を記録したカードを受け付け、該カードから読み取った識別情報により口座を特定し、当該口座への預入、当該口座からの引出や振込等を行うことができる。
【００１８】
ＡＴＭはカードを受け付けるためのカード挿入口を有しており、スキミング装置はこのカード挿入口の近傍に設置される。スキミング装置が設置されると、利用者がカード挿入口にカードを挿入したときにスキミング装置によって識別情報が読み取られる。そして、スキミング装置に読み取られた識別情報は、カードの複製などの不正に用いられるのである。
【００１９】
本実施例１に係るスキミング装置検知装置１は、ＡＴＭ内部のカード挿入口近傍に設けられ、ＡＴＭ外部に向けて超音波を送信し、その反射波（エコー）を受信する。スキミング装置検知装置１は、受信したエコーによりカード挿入口の近傍に所在する物体を検知し、検知した物体が所定時間以上動いていない場合に、スキミング装置が取り付けられたと判定する。
【００２０】
図１は、スキミング装置検知装置１を設置したＡＴＭカード挿入口について説明するための説明図である。図１（ａ）は、スキミング装置検知装置１を備えたＡＴＭのカード挿入口近傍を示す正面図であり、図１（ｂ）は、図１（ａ）におけるＡ−Ａ’断面図であり、図１（ｃ）は、図１（ａ）におけるＢ−Ｂ’断面図である。
【００２１】
図１（ａ）に示すように、ＡＴＭの前面パネルＣには、カード挿入口Ｄおよび検知孔９が設けられている。また、図１（ｂ）及び図１（ｃ）に示すように、検知孔９の後方には、スキミング装置検知装置１が設置されている。また、カード挿入口Ｄの後方には、カードリーダユニットＥが設置されている。スキミング装置検知装置１は、超音波振動子２と、制御回路３とからなる。
【００２２】
次に、スキミング装置検知装置１の構成について説明する。図２は、スキミング装置検知装置１を示すブロック図である。図２に示すように、スキミング装置検知装置１は、超音波振動子２と、制御回路３とからなる。また、制御回路３は、トリガ回路４、送信回路５、受信回路６、計数回路７及びプロセッサ８を有する。
【００２３】
トリガ回路４は、所定のトリガ間隔Ｔｓでトリガ信号ａを発生する回路である。送信回路５は、トリガ回路４からトリガ信号ａが入力される毎に超音波振動子２を駆動して超音波パルスを送信させると共に、超音波パルスの出射完了時に送信完了信号ｂを出力する回路である。
【００２４】
受信回路６は、超音波振動子２が受信したエコー（超音波パルスと同一周波数の超音波）と送信完了信号ｂとに応じて受信信号ｃを出力する回路である。具体的には、受信回路６は、送信回路５から送信完了信号ｂが入力された後の所定の受信期間Ｐｒ内に平均レベルが所定レベルｈより大きいエコーが超音波振動子２で受信され、且つその後にエコーの平均レベルが所定レベルｈより小さくなった時に受信信号ｃを出力する。
【００２５】
計数回路７は、送信回路５から送信完了信号ｂが入力される毎に所定のクロック周波数のクロック信号を「０」からカウントアップする回路である。計数回路７がカウントアップした値である計数値Ｔｒは、超音波パルスの送信からエコー受信までの時間差、すなわち超音波パルスを反射した物体までの距離に対応する。
【００２６】
プロセッサ８は、送信完了信号ｂと、計数回路７から読み込んだ計数値Ｔｒと、受信信号ｃとを用いてスキミング装置が取り付けられているか否かを判定し、検知信号を出力する。
【００２７】
具体的には、プロセッサ８は、送信回路５から送信完了信号ｂが入力された後の所定の受信期間Ｐｒ内に受信信号ｃが入力された時、又は受信信号ｃが入力されずに受信期間Ｐｒが経過した時のいずれか早い方のタイミングで計数回路７の計数値Ｔｒを読み込む。
【００２８】
プロセッサ８は、受信期間Ｐｒ内に受信信号ｃが入力された場合には、計数回路７の計数値Ｔｒが判定基準範囲内であるか、すなわち判定すべき距離範囲内からのエコーであるかを判定し、判定基準範囲内であるならば該計数値Ｔｒを記憶する。さらに、該計数値Ｔｒを以前に記憶した計数値Ｔｒと比較し、計数値Ｔｒの差が許容範囲内であるかを判定する。計数値Ｔｒの差が許容範囲内であることは、超音波パルスを反射した物体が動いていないことを意味する。プロセッサ８は、計数値Ｔｒの差が許容範囲内である場合には、検知回数をインクリメントする。
【００２９】
プロセッサ８は、検知回数が判定回数以上となった場合、すなわち、所定の距離範囲内に物体が存在し、該物体が所定時間以上動いていない場合にスキミング装置が取り付けられていると判定し、検知信号を出力する。
【００３０】
なお、受信信号ｃが入力されずに受信期間Ｐｒが経過した時には、プロセッサ８は、計数値Ｔｒの記憶及び検知回数をクリアする。また、プロセッサ８は、受信回路６で用いる所定レベルｈを設定可能である。
【００３１】
次に、スキミング装置が取り付けられていない状態（図１の状態）での超音波パルスとエコーについて説明する。図３は、スキミング装置が取り付けられていない状態での超音波パルスとエコーを模式的に示すタイムチャートである。
【００３２】
図３において、超音波パルスが出射される間隔、すなわちトリガ間隔Ｔｓは例えば１００ｍｓである。また、超音波は、例えば２０ｋＨｚの正弦波である。超音波パルスのエンベロープは例えば矩形波である。パルス幅ｗは、エンベロープに含まれる超音波の最初の立ち上がりから最後の立ち下がりまでの時間であり、例えば４７５μｓである（＝２０ｋＨｚの超音波の９．５サイクルに相当する。）。エンベロープに含まれる超音波の最後の立ち下がり時に送信完了信号ｂが出力される。
【００３３】
受信期間Ｐｒは、例えば送信完了信号ｂが入力されてから１００μｓ経過時までの期間である。これは、超音波振動子２からの距離が約１７ｍｍ以下の物体からのエコーの平均レベルが所定レベルｈより小さくなる期間に相当する。クロック周波数が例えば１ＭＨｚなら、受信信号が入力されずに受信期間Ｐｒが経過した時の計数値Ｔｒは「１００」になる。
【００３４】
所定レベルｈは、例えば超音波振動子２からの距離が４０ｍｍの物体からのエコーｅの平均レベル程度に設定しておく。これにより、超音波振動子２からの距離が４０ｍｍ以上の物体からのエコーを除去することが出来る。
【００３５】
次に、ＡＴＭのカード挿入口Ｄの周囲を囲む形状のスキミング装置Ｚが取り付けられた状態について説明する。図４は、スキミング装置Ｚが取り付けられた状態を示す図１相当図である。
【００３６】
図４に示すように、スキミング装置Ｚは、ＡＴＭの前面パネルＣにカード挿入口Ｄの周囲を囲む形で取り付けられ、カード挿入口Ｄへのカード挿入は阻害しない。しかし、カード挿入口Ｄにカードを挿入したならば、カードから識別情報を不正に読み取って内部に記憶若しくは外部に送信する。
【００３７】
このようにスキミング装置Ｚが取り付けられた状態では、スキミング装置Ｚにより検知孔９が被覆される。このため、スキミング装置検知装置１が超音波パルスを送信すると、スキミング装置Ｚにより反射されたエコーが受信されることとなる。
【００３８】
次に、スキミング装置が取り付けられていない状態（図１の状態）での超音波パルスとエコーについて説明する。図５は、スキミング装置Ｚが取り付けられた状態での超音波パルスとエコーを模式的に示すタイムチャートである。
【００３９】
スキミング装置Ｚが取り付けられた状態では、計数値Ｔｒは、受信期間Ｐｒよりも小さくなる。例えば超音波振動子２からスキミング装置Ｚまでの距離が５ｍｍ〜１０ｍｍとすると、エンベロープに含まれる超音波の最後の立ち下がり時（＝送信完了信号ｂが入力された時）から２９μｓ〜５８μｓ経過時に受信信号が出力され、計数値Ｔｒは「２９〜５８」になる。ただし、実際には、平均レベルｖを基に受信信号が出力されるため、計数値Ｔｒは少しずれる。そこで、判定基準範囲を例えば「２０〜８０」に設定し、計数値Ｔｒがこの判定基準範囲内ならスキミング装置Ｚが設置されていると判定すればよい。
【００４０】
次に、図２に示したプロセッサ８によるスキミング装置検知処理の処理手順について説明する。図６は、図２に示したプロセッサ８によるスキミング装置検知処理の処理手順を示すフローチャートである。
【００４１】
まず、プロセッサ８は、計数値Ｔｒの記憶及び検知回数をクリアすることで初期化を行う（ステップＳ１）。
【００４２】
ステップＳ１の後、プロセッサ８は、送信回路５から送信完了信号ｂが入力されるのを待つ（ステップＳ２）。送信完了信号ｂが入力されたならば（ステップＳ２；Ｙｅｓ）、プロセッサ８は、受信回路６から受信信号ｃが入力されたか否かを判定する（ステップＳ３）。
【００４３】
受信信号ｃが入力されていなければ（ステップＳ３；Ｎｏ）、プロセッサ８は、受信期間Ｐｒが経過したか否かを判定する（ステップＳ４）。受信期間Ｐｒが経過していなければ（ステップＳ４；Ｎｏ）、プロセッサ８は、ステップＳ３に移行し、受信信号ｃが入力されたか否かを判定する。
【００４４】
一方、受信信号ｃが入力されないまま受信期間Ｐｒが経過したならば（ステップＳ４；Ｙｅｓ）、スキミング装置Ｚが設置されていないと判定できるので、プロセッサ８は、ステップＳ１に移行し、計数値Ｔｒの記憶及び検知回数をクリアすることで初期化を行う。
【００４５】
受信信号ｃが入力されたならば（ステップＳ３；Ｙｅｓ）、プロセッサ８は、計数回路７から計数値Ｔｒを読み込む（ステップＳ５）。プロセッサ８は、読み込んだ計数値Ｔｒが判定基準範囲内か否かを判定する（ステップＳ６）。読み込んだ計数値Ｔｒが判定基準範囲内でなければ（ステップＳ６；Ｎｏ）、スキミング装置Ｚが設置されていないと判定できるので、プロセッサ８は、ステップＳ１に移行し、計数値Ｔｒの記憶及び検知回数をクリアすることで初期化を行う。
【００４６】
読み込んだ計数値Ｔｒが判定基準範囲内であるならば（ステップＳ６；Ｙｅｓ）、プロセッサ８は、読み込んだ計数値Ｔｒを現在時刻に関連付けて記憶する（ステップＳ７）。その後、プロセッサ８は、現在時刻から所定の比較時間（例えば３秒）以前に記憶した計数値Ｔｒが存在するか否かを判定する（ステップＳ８）。現在時刻から所定の比較時間以前に記憶した計数値Ｔｒが存在しなければ（ステップＳ８；Ｎｏ）、検知した物体が動いているか否かを判断するデータが無いので、プロセッサ８は、ステップＳ２に移行する。
【００４７】
現在時刻から所定の比較時間以前に記憶した計数値Ｔｒが存在するならば（ステップＳ８；Ｙｅｓ）、プロセッサ８は、検知した物体が動いているか否かを判定する。具体的には、比較時間以前に記憶した計数値Ｔｒと最新の計数値Ｔｒの差が許容範囲（例えば±１０）外であれば（ステップＳ９；Ｎｏ）、検知した物体が動いているのでスキミング装置Ｚではないと判定し、プロセッサ８は、ステップＳ１に戻る。
【００４８】
一方、所定の比較時間以前に記憶した計数値Ｔｒと最新の計数値Ｔｒの差が許容範囲内であるならば（ステップＳ９；Ｙｅｓ）、プロセッサ８は、検知した物体が動いていないと判定し、検知回数を１だけ加算（インクリメント）する（ステップＳ１０）。
【００４９】
ステップＳ１０の後、プロセッサ８は、検知回数が所定の判定回数（例えば１０回）に達したか否かを判定する（ステップＳ１１）。検知回数が所定の判定回数未満であれば（ステップＳ１１；Ｎｏ）、プロセッサ８は、スキミング装置Ｚと判定するデータが不十分としてステップＳ２に移行する。そして、検知回数が所定の判定回数に達したならば（ステップＳ１１；Ｙｅｓ）、プロセッサ８は、検知した物体が動いていないのでスキミング装置Ｚと判定し、検知信号を出力して（ステップＳ１２）、処理を終了する。
【００５０】
上述してきたように、本実施例１にかかるスキミング装置検知装置１によれば、超音波センサを用いてエコーのレベルと時間の２つのパラメータを用いて動かない物体が存在するか否かを検知するので、光学センサよりも安定に検知することが出来る。従って、ＡＴＭのカード挿入口Ｄの近傍にスキミング装置Ｚが取り付けられたことを安定して検知することが出来る。
【実施例２】
【００５１】
上記実施例１では、超音波パルスの送信からエコー受信までの時間差に対応する計数値を用い、略同一の距離に所定時間以上存在する物体をスキミング装置として検知する構成について説明を行ったが、所定の距離範囲内に所定時間以上存在する物体をスキミング装置として検知することとすれば、より簡易な構成でスキミング装置を検知することが可能である。本実施例２では、所定の距離範囲内に所定時間以上存在する物体をスキミング装置として検知するスキミング装置検知装置について説明する。
【００５２】
図７は、実施例２に係るスキミング装置検知装置１’を示すブロック図である。図２に示すように、スキミング装置検知装置１’は、計数回路７を有さない点が図２に示したスキミング装置検知装置１と異なり、またプロセッサ８’の動作が図２に示したプロセッサ８と異なる。その他の構成及び動作は図２に示したスキミング装置検知装置１と同様であるので、同一の構成要素には同一の符号を付して説明を省略する。
【００５３】
図７に示すプロセッサ８’は、送信回路５が出力した送信完了信号ｂと、受信回路６が出力した受信信号ｃとを用いてスキミング装置が取り付けられているか否かを判定し、検知信号を出力する。
【００５４】
具体的には、プロセッサ８’は、送信回路５から送信完了信号ｂが入力された後の所定の受信期間Ｐｒ内に受信信号ｃが入力された時に、検知回数をインクリメントする。そして、検知回数が判定回数以上となった場合、すなわち、所定の距離範囲内に所定時間以上物体が存在する場合にスキミング装置が取り付けられていると判定し、検知信号を出力する。なお、受信信号ｃが入力されずに受信期間Ｐｒが経過した時には、プロセッサ８’は、検知回数をクリアする。
【００５５】
次に、図７に示したプロセッサ８’によるスキミング装置検知処理の処理手順について説明する。図８は、図７に示したプロセッサ８’によるスキミング装置検知処理の処理手順を示すフローチャートである。
【００５６】
まず、プロセッサ８’は、検知回数をクリアすることで初期化を行う（ステップＳ１’）。ステップＳ１’の後、プロセッサ８’は、送信回路５から送信完了信号ｂが入力されるのを待つ（ステップＳ２）。送信完了信号ｂが入力されたならば（ステップＳ２；Ｙｅｓ）、プロセッサ８’は、受信回路６から受信信号ｃが入力されたか否かを判定する（ステップＳ３）。
【００５７】
受信信号ｃが入力されていなければ（ステップＳ３；Ｎｏ）、プロセッサ８’は、受信期間Ｐｒが経過したか否かを判定する（ステップＳ４）。受信期間Ｐｒが経過していなければ（ステップＳ４；Ｎｏ）、プロセッサ８’は、ステップＳ３に移行し、受信信号ｃが入力されたか否かを判定する。
【００５８】
一方、受信信号ｃが入力されないまま受信期間Ｐｒが経過したならば（ステップＳ４；Ｙｅｓ）、スキミング装置Ｚが設置されていないと判定できるので、プロセッサ８’は、ステップＳ１’に移行し、検知回数をクリアすることで初期化を行う。
【００５９】
受信信号ｃが入力されたならば（ステップＳ３；Ｙｅｓ）、プロセッサ８’は、検知回数を１だけ加算（インクリメント）する（ステップＳ１０）。ステップＳ１０の後、プロセッサ８’は、検知回数が所定の判定回数（例えば１０回）に達したか否かを判定する（ステップＳ１１）。検知回数が所定の判定回数未満であれば（ステップＳ１１；Ｎｏ）、プロセッサ８’は、スキミング装置Ｚと判定するデータが不十分としてステップＳ２に移行する。そして、検知回数が所定の判定回数に達したならば（ステップＳ１１；Ｙｅｓ）、プロセッサ８’は、検知した物体が動いていないのでスキミング装置Ｚと判定し、検知信号を出力して（ステップＳ１２）、処理を終了する。
【００６０】
上述してきたように、本実施例２にかかるスキミング装置検知装置１’によれば、超音波センサを用いてエコーのレベルと時間の２つのパラメータを用いて物体が存在するか否かを検知するので、光学センサよりも安定に検知することが出来る。従って、ＡＴＭのカード挿入口Ｄの近傍にスキミング装置Ｚが取り付けられたことを安定して検知することが出来る。さらに、計数回路７が不要であるために、装置を小型化することができ、また低コストで製造可能である。
【００６１】
なお、上記実施例１及び２では、検知孔９を設け、検知孔９から超音波の送受信を行なう構成を例示したが、検知孔９を設けず、カード挿入口Ｄを検知孔として利用してもよい。この場合、カード挿入の邪魔にならないように且つカード挿入口Ｄの近傍の物体を検知できるように、カード挿入口Ｄの斜め上や斜め下に超音波センサを設置し、カード挿入口Ｄを斜めに通過するように超音波を送信すればよい。
【００６２】
また、上記実施例１及び２では、超音波パルスを送信し、エコーを受信して物体を検知する構成を例に説明を行ったが、赤外線を送信し、その反射光を受信して物体を検知してもよい。超音波に代えて赤外線を用いる場合であっても、装置構成並びに動作は同様のものを用いることができる。
【実施例３】
【００６３】
本実施例３では、スキミング装置警戒システムについて説明する。図９は、実施例３に係るスキミング装置警戒システム１００を示すブロック図である。図９に示すスキミング装置警戒システム１００は、ＡＴＭ１０と、ＡＴＭ１０のカード挿入口近傍に動かない物体が存在することを検知したときに検知信号を出力する物体検知装置１１と、ＡＴＭ１０を操作する人を撮影しうるカメラ１２（これはＡＴＭ１０の内部に設置してもよい。）またはＡＴＭ１０を撮影しうるカメラ（これはＡＴＭ１０の外部に設置する。）１２と、カメラ１２で撮影した画像を表示するモニタ１３と、検知信号が出力されたときにＡＴＭ１０を操作する人が存在するか否か又はＡＴＭ１０に異常がないか否かをモニタ１３で確認すべきことをモニタ１３の管理者Ｙに報知する報知装置１４とを具備している。
【００６４】
ＡＴＭ１０と、物体検知装置１１と、カメラ１２は、ＡＴＭ室Ｆに設置されている。ＡＴＭ１０は、通信回線Ｇを介して、銀行システムＨに接続されている。物体検知装置１１が出力する検知信号は、通信回線Ｇを介して、報知装置１４に送られる。カメラ１２が出力する映像信号は、通信回線Ｇを介して、モニタ１３に送られる。
【００６５】
物体検知装置１１は、本発明にかかるスキミング装置検知装置１または１’でもよいし、特許文献１，２に記載された光学式センサを用いた物体検知装置でもよい。
【００６６】
モニタ１３と、報知装置１４は、ＡＴＭ室Ｆから離れた場所にあるモニタ室Ｊに設置されている。モニタ室Ｊには、ＡＴＭ１０に異常があったことを銀行システムＨに通知するための通知装置１５も設置されている。
【００６７】
図１０は、メッセージ表示画面の例示図である。図１０に示すように、ＡＴＭ１０に異常がないか否かをモニタ１３で確認すべきことをモニタ１３の管理者Ｙに画面で報知している。音声を併用して報知するのが好ましい。
【００６８】
管理者Ｙは、モニタ１３を見て、ＡＴＭ１０を操作する人が存在するか否か、ＡＴＭ１０に異常がないか否か、を確認する。そして、ＡＴＭ１０を操作する人が挙動不審であったり、ＡＴＭ１０の異常を発見したら、通知装置１５により、ＡＴＭ１０に異常があることを銀行システムＨに通知する。
【００６９】
上述してきたように、本実施例３にかかるスキミング装置警戒システム１００によれば、スキミング装置を取り付ける者やスキミング装置を遅滞なく発見できる。
【産業上の利用可能性】
【００７０】
以上のように、本発明に係る不正物体検知装置及び不正物体検知システムは、スキミング装置がＡＴＭに取り付けられたことを検知するのに利用することが出来る。
【符号の説明】
【００７１】
１、１’  スキミング装置検知装置
２  超音波振動子
３  制御回路
４  トリガ回路
５  送信回路
６  受信回路
７  計数回路
８、８’  プロセッサ
９  検知孔
１０  ＡＴＭ
１１  物体検知装置
１２  カメラ
１３  モニタ
１４  報知装置
１５  通知装置
１００  スキミング装置警戒システム
Ｄ  カード挿入口
Ｇ  通信回線
【図１】
2014182643.tif 000003
【図２】
2014182643.tif 000004
【図３】
2014182643.tif 000005
【図４】
2014182643.tif 000006
【図５】
2014182643.tif 000007
【図６】
2014182643.tif 000008
【図７】
2014182643.tif 000009
【図８】
2014182643.tif 000010
【図９】
2014182643.tif 000011
【図１０】
2014182643.tif 000012